(57)【特許請求の範囲】
【請求項１】
携帯用スタッド溶接機１のケーシング(1a)の下端が締結具(13)を介して着脱自在に固定される天板(10)と、
被溶接面に接離自在に着座する着座面(2) が下端に設けられた基板(9) と、
その基板(9) と前記天板(10)の両板間を連結する複数のシャフト(11)(12)と、により装置本体(3) を構成し、
複数の前記シャフトのうち、前記ケーシング(1a)の下端から突設されるスタッド端嵌着部(4)の軸線の両側に位置する二つのシャフト(11)間が連結された一対の支持部材(15)と、
前記二つのシャフト(11)のうちの一方に一端部が枢着されると共に、他方に他端部が係脱自在に係止される係止部材(8)と、を有し、
被溶接面に前記着座面(2)が着座されたとき、その平面に対して直交するように前記一対の支持部材(15)に設けた支持面(6)からなる保持部(7)が配置され、
前記ケーシング(1a)の下端から突出されるスタッド端嵌着部(4)にスタッド(5)の上端部が嵌着されたとき、前記スタッド(5)の一側面を前記保持部(7)が支持し、前記スタッド(5)の他側面側が開放され、
前記スタッド(5)の前記他側面側が前記係止部材(8) により開閉自在に支持されることを特徴とする携帯用スタッド溶接機のスタッド位置決め装置。
【請求項２】
請求項１において、
前記基板(9)の下面に３以上の着座用凸部(14)が形成された携帯用スタッド溶接機のスタッド位置決め装置。
【請求項３】
請求項１または請求項２において、
天板10および基板９の夫々の一端縁から中心側に平面Ｕ字状の欠切部16が形成され、その欠切部16に前記スタッド５の軸線が位置するように構成された携帯用スタッド溶接機のスタッド位置決め装置。
【発明の詳細な説明】
【０００１】
【発明の属する技術分野】
本発明は、主として互いに平行に配置された一対の金属板間をスタッドで溶接固定する際に、そのスタッドを一方の金属板に対し垂直に位置決めして保持するための装置に関する。
【０００２】
【従来の技術】
建物の床部や壁部のような平面を構成するものとして、互いに平行な一対の金属板間にコンクリートを挟んだ金属・コンクリート複合体が使用されている。このような複合体を構成するには、一対の金属板の間に多数の金属製のスタッドを溶接により接合したものを予め工場で製造し、それを施工現場に搬入・設置して金属板間の空間部にモルタルを流し込む方法が採用されている。
このような複合体を構成するには、従来、次のようにして行っていた。
先ず、図６に示す如く、多数の頭付きのスタッド５の先端部を金属板21に夫々定間隔にスタッド溶接する。次いで、予め定間隔に孔が穿設された金属板22をスタッド５の頭部側に被嵌する。このとき、孔とスタッド５の頭部とは整合される。そして金属板22の孔とスタッド５の頭部との間を溶接する。
【０００３】
【発明が解決しようとする課題】
しかしこのようなスタッド溶接は、溶接の際、スタッド５を正確に金属板21上に垂直に溶接固定する必要があり、そのための各種の治具の取付作業を要し、作業性に欠ける欠点があった。
そこで本発明は、作業性が良く迅速にスタッド５を被溶接面に垂直に溶接し得る携帯用スタッド溶接機のスタッド位置決め装置を提供することを課題とする。
【０００４】
【課題を解決するための手段】
請求項１に記載の本発明は、携帯用スタッド溶接機１のケーシング(1a)の下端が締結具(13)を介して着脱自在に固定される天板(10)と、
被溶接面に接離自在に着座する着座面(2) が下端に設けられた基板(9) と、
その基板(9) と前記天板(10)の両板間を連結する複数のシャフト(11)(12)と、により装置本体(3) を構成し、
複数の前記シャフトのうち、前記ケーシング(1a)の下端から突設されるスタッド端嵌着部(4)の軸線の両側に位置する二つのシャフト(11)間が連結された一対の支持部材(15)と、
前記二つのシャフト(11)のうちの一方に一端部が枢着されると共に、他方に他端部が係脱自在に係止される係止部材(8)と、を有し、
被溶接面に前記着座面(2)が着座されたとき、その平面に対して直交するように前記一対の支持部材(15) に設けた支持面(6)からなる保持部(7)が配置され、
前記ケーシング(1a)の下端から突出されるスタッド端嵌着部(4)にスタッド(5)の上端部が嵌着されたとき、前記スタッド(5)の一側面を前記保持部(7)が支持し、前記スタッド(5)の他側面側が開放され、
前記スタッド(5)の前記他側面側が前記係止部材(8) により開閉自在に支持されることを特徴とする携帯用スタッド溶接機のスタッド位置決め装置である。
【０００５】
請求項２に記載の本発明は、請求項１において、
前記基板(9)の下面に３以上の着座用凸部(14)が形成された携帯用スタッド溶接機のスタッド位置決め装置である。
請求項３に記載の本発明は、請求項１または請求項２において、
天板10および基板９の夫々の一端縁から中心側に平面Ｕ字状の欠切部16が形成され、その欠切部16に前記スタッド５の軸線が位置するように構成された携帯用スタッド溶接機のスタッド位置決め装置である。
【０００６】
【発明の実施の形態】
次に、本発明の実施の形態を図面に基づいて説明する。
図１は本スタッド位置決め装置の斜視図であり、図２はその正面図（図１におけるツマミ18を省略）であり、図３は図２の III− III矢視断面略図である。また、図４は図２のIV−IV矢視断面略図、図５は同装置の係止部材８の説明図であって図２のＶ線上で切断したものである。
このスタッド位置決め装置は、スタッド５を被溶接面の平面に垂直に立設するためのものであり、装置全体が溶接機１に締結具13を介して図３の如く固定され、そのスタッド端嵌着部４にスタッド５が着脱自在に取付けられるものである。
その装置本体３は、夫々平板状の基板９と天板10との間が図１の如く、シャフト11，12で連結され、それらシャフト11，12が平面三角形の角頂点に配置されている。
【０００７】
両基板９，天板10は、その平面の一側から欠切部16が欠切されている。天板10の欠切部16は、溶接機１のケーシング１ａの先端縁に整合する。また、基板９の欠切部16はスタッド５の直径よりも僅かに広く形成されている。さらに、一対のシャフト11間には上下に離間し一対の支持部材15が配置され、夫々の支持部材15の長手方向中央部にＵ字状の欠切部が、その幅方向一端縁から形成され、そのＵ字状の底面がスタッド支持面６を形成し、そこでスタッド５の一側面を支持する。そして一対の上下の支持部材15の夫々の支持面６により、スタッド５の保持部７を構成する。
【０００８】
さらに一対の支持部材15の中間には、係止部材８が図５の実線の状態から鎖線の状態に開閉自在に取付けられている。その係止部材８は、その一端が一方のシャフト11に軸支され、その他端が他方のシャフト11に係脱自在に係止される。即ち、係止部材８の一端部にはスリット20が形成され、そこにツマミ18の軸部が移動自在に挿通されると共に、その軸端に係合部19が固定され、ツマミ18を左右に移動することによって、係合部19を他方のシャフト11の外周に係脱自在に係止する。次いで、図５の実線で示したシャフト11と係合部19の係止状態で、ツマミ18を螺回締結することにより、係止部材８とシャフト11の係止が確実に保持される。そして係止部材８の中央に設けられたＵ字凹部がスタッド５の他方の側面を支持するものである。
【０００９】
次に、天板10には図３及び図４の如く、一対のボルト孔23が溶接機１のケーシング１ａ下面の締結具13に整合する位置に穿設され、その締結具13を介して装置本体３が溶接機１のケーシング１ａに締結固定されている。
次に、基板９の下面には４本の短いボルトからなる着座用凸部14が突設され、その端面に着座面２が形成される。そして被溶接面に着座面２が着座されたとき、その平面に対して直交するように一対の支持部材15からなる保持部７が配置される。
【００１０】
【使用方法】
先ず、図３に示す如く、締結具13を介して装置本体３と溶接機１のケーシング１ａとを一体的に締結固定する。次いで、スタッド５の上端を溶接機１のスタッド端嵌着部４に装着する。このスタッド端嵌着部４は図１に示す如く、外周に複数のスリットが形成されて、半径方向に僅かに拡開する弾性構造を有し、スタッド５の頂部外周面を締結保持する。そしてこのスタッド５を夫々の支持面６に支持させると共に、係止部材８を閉塞し、ツマミ18をスリット20内に移動してその係合部19をシャフト11に係止し、ツマミ18を螺回締結して確実に保持する。次いで、スタッド５の軸線を図示しない被溶接面の所定位置に整合させると共に、スタッド５の先端にアークシールド17を被嵌する。そして通常のアークスタッド溶接作業を行い、スタッド５の下端を被溶接面に溶接固定する。
【００１１】
スタッド５の溶接が終了したら溶接機１を上方に持ち上げ、スタッド５の頭部をスタッド端嵌着部４から分離する。次いで、ツマミ18を図１において右方に移動し、その係合部19をシャフト11から外し、係止部材８を開放する。そして装置本体３をスタッド５から分離し、スタッド溶接作業を完了する。
なお、三本のシャフト11，12の長さを適宜選択することにより、各種スタッド５の長さの位置決め装置とすることがてきる。このとき、支持部材15は止めピン24を外すことにより、シャフト11から分離できる。また係止部材８はゴムリング25または係止ピン付き金属リングをシャフト11から外すことにより、分離できる。
【００１２】
【発明の作用・効果】
請求項１に記載のスタッド位置決め装置によれば、スタッドの着脱の作業性が良く且つ、スタッド５を被溶接面に正確に垂直に溶接することができる。
請求項３に記載のスタッド位置決め装置によれば、天板10および基板９が夫々の一端縁から中心側に平面Ｕ字状の欠切部16を形成し、その欠切部16にスタッド５の軸線が位置するように構成したから、重力バランスが良く安定して取扱い易い装置となり得る。
【図面の簡単な説明】
【図１】本発明のスタッド位置決め装置の斜視図。
【図２】同装置の正面図（ツマミ18を省略）。
【図３】図２の III− III矢視断面略図。
【図４】図２のIV−IV矢視断面略図。
【図５】同装置の係止部材８の説明図であって図２のＶ線上で切断したもの。
【図６】本スタッド位置決め装置の対象の一例を示すスタッド５の溶接状態を示す説明図。
【符号の説明】
１  溶接機
１ａ  ケーシング
２  着座面
３  装置本体
４  スタッド端嵌着部
５  スタッド
６  支持面
７  保持部
８  係止部材
９  基板
10  天板
11，12  シャフト
13  締結具
14  着座用凸部
15  支持部材
16  欠切部
17  アークシールド
18  ツマミ
19  係合部
20  スリット
21，22  金属板
23  ボルト孔
24  止めピン
25  ゴムリング
【図１】
0004488449.tif 000002
【図２】
0004488449.tif 000003
【図３】
0004488449.tif 000004
【図４】
0004488449.tif 000005
【図５】
0004488449.tif 000006
【図６】
0004488449.tif 000007